(57)【要約】【課題】スムーズかつ強力な復元力をもって副蓋体を開くことが可能な収納容器の蓋を提供する。【解決手段】主蓋体４と、主蓋体４に揺動開閉自在に枢着された副蓋体５と、副蓋体５を開く方向に弾発付勢する弾性帯体７とを、備えた収納容器の蓋に於て、副蓋体５が閉じた施蓋状態Ｐ０で、弾性帯体７は横倒Ｕ字状に弯曲して、弯曲内層側の弾性圧縮応力及び弯曲外層側の弾性引張応力による曲げ復元モーメントＭを発生し、副蓋体５を上方へ開く方向に弾発付勢するように構成されている。【選択図】図１
2017056944.tif 000002
【特許請求の範囲】
【請求項１】
主蓋体（４）と、該主蓋体（４）に揺動開閉自在に枢着された副蓋体（５）と、該副蓋体（５）を開く方向に弾発付勢する弾性帯体（７）とを、備えた収納容器の蓋に於て、
上記副蓋体（５）が閉じた施蓋状態（Ｐ０）で、上記弾性帯体（７）は横倒Ｕ字状に弯曲して、弯曲内層側の弾性圧縮応力及び弯曲外層側の弾性引張応力による曲げ復元モーメント（Ｍ）を発生し、上記副蓋体（５）を上方へ開く方向に弾発付勢するように構成されたことを特徴とする収納容器の蓋。
【請求項２】
注ぎ口（３）と通気孔（６）を有する主蓋体（４）と、該主蓋体（４）に揺動開閉自在に枢着された副蓋体（５）と、上記主蓋体（４）に長手方向一端部（７ａ）が突き当たるように配設され上記副蓋体（５）を開く方向に弾発付勢する弾性帯体（７）とを、備え、
上記弾性帯体（７）は、上記注ぎ口（３）を施蓋する第１栓部（１）と、上記通気孔（６）を施蓋する第２栓部（２）とを、一体に有し、
さらに、上記副蓋体（５）が閉じた施蓋状態（Ｐ０）で、上記弾性帯体（７）は横倒Ｕ字状に弯曲して、弯曲内層側の弾性圧縮応力及び弯曲外層側の弾性引張応力による曲げ復元モーメント（Ｍ）を発生し、上記副蓋体（５）を上方へ開く方向に弾発付勢するように構成されたことを特徴とする収納容器の蓋。
【請求項３】
上記副蓋体（５）は、８０°〜１１０°の開閉角度（θ）で上方起立状として開蓋するように構成されている請求項１又は２記載の収納容器の蓋。
【発明の詳細な説明】
【技術分野】
【０００１】
本発明は、収納容器の蓋に関する。
【背景技術】
【０００２】
従来、容器本体に螺着される主蓋体と、主蓋体に揺動開閉自在に枢着された副蓋体とを、備え、主蓋体と副蓋体の係合を外すと、エラストマー等の弾性材から成る帯状板の弾性復元力によって、副蓋体を開く方向に付勢する収納容器の蓋が知られている（特許文献１参照）。
【先行技術文献】
【特許文献】
【０００３】
【特許文献１】特開２００７−３２０６２５号公報
【発明の概要】
【発明が解決しようとする課題】
【０００４】
しかし、特許文献１記載の収納容器の蓋は、副蓋体が閉じた施蓋状態で、薄肉の帯状板に生じる弾発力は微弱で、しかも、主蓋体と副蓋体の係合を外した短い瞬間にしか発揮されなかった。従って、副蓋体がスムーズに開かないという欠点があった。
【０００５】
そこで、本発明は、スムーズかつ強力な復元力をもって副蓋体を開くことが可能な収納容器の蓋を提供することを目的とする。
【課題を解決するための手段】
【０００６】
本発明に係る収納容器の蓋は、主蓋体と、該主蓋体に揺動開閉自在に枢着された副蓋体と、該副蓋体を開く方向に弾発付勢する弾性帯体とを、備えた収納容器の蓋に於て、上記副蓋体が閉じた施蓋状態で、上記弾性帯体は横倒Ｕ字状に弯曲して、弯曲内層側の弾性圧縮応力及び弯曲外層側の弾性引張応力による曲げ復元モーメントを発生し、上記副蓋体を上方へ開く方向に弾発付勢するように構成されたものである。
【０００７】
また、注ぎ口と通気孔を有する主蓋体と、該主蓋体に揺動開閉自在に枢着された副蓋体と、上記主蓋体に長手方向一端部が突き当たるように配設され上記副蓋体を開く方向に弾発付勢する弾性帯体とを、備え、上記弾性帯体は、上記注ぎ口を施蓋する第１栓部と、上記通気孔を施蓋する第２栓部とを、一体に有し、さらに、上記副蓋体が閉じた施蓋状態で、上記弾性帯体は横倒Ｕ字状に弯曲して、弯曲内層側の弾性圧縮応力及び弯曲外層側の弾性引張応力による曲げ復元モーメントを発生し、上記副蓋体を上方へ開く方向に弾発付勢するように構成されたものである。
また、上記副蓋体は、８０°〜１１０°の開閉角度で上方起立状として開蓋するように構成されているものである。
【発明の効果】
【０００８】
本発明の収納容器の蓋によれば、横倒Ｕ字状に弯曲した弾性帯体が十分に大きな曲げ復元モーメントを発生し、この曲げ復元モーメントによって、副蓋体をスムーズに上方へ開くことができる。
【０００９】
また、構造が簡素で、工場での組立てが容易であると共に、家庭で、洗浄のために弾性帯体の取付け・取外しを行う際も容易かつ迅速に行うことができる。弾性帯体が第１栓部と第２栓部を一体に有している為、部品点数を減らしてコストを低減でき、安価に製造できる。
【図面の簡単な説明】
【００１０】
【図１】本発明の実施の一形態の施蓋状態を示した側面図であり、（Ａ）は断面側面図であり、（Ｂ）は弾性帯体に生じる応力を示す側面図である。
【図２】本発明の実施の一形態の開蓋状態を示した断面側面図である。
【図３】本発明の収納容器の蓋の開蓋状態を示した斜視図である。
【図４】本発明の収納容器の蓋の分解斜視図である。
【図５】本発明の収納容器を一部断面で示す平面図である。
【図６】使用状態を示す断面側面図である。
【発明を実施するための形態】
【００１１】
以下、実施の形態を示す図面に基づき本発明を詳説する。
図１〜図３に示すように、本発明の収納容器の蓋は、注ぎ口３と通気孔６を有する主蓋体４と、主蓋体４に揺動開閉自在に枢着された副蓋体５と、副蓋体５を開く方向に弾発付勢する弾性帯体７とを、備え、図３に２点鎖線で示す容器本体２０の開口外周縁部に螺着されて用いられ、容器本体２０には主に水やお茶等の液体を収納し、あるいは、小麦粉やシリアル、フレーク等の粉体を収納しても良い（図示省略）。
副蓋体５は、図１に示す施蓋状態Ｐ０から、図２に示す開蓋状態Ｐ１に上下揺動可能として枢着されている。図１と図２に示すＣは、副蓋体５の軸心位置（枢支点）を示し、副蓋体５は、主蓋体４の前後方向中心線近傍に枢着されている。
【００１２】
弾性帯体７は、例えば、シリコン樹脂やエラストマー等の弾性材から成り、注ぎ口３を施蓋する第１栓部１と、通気孔６を施蓋する第２栓部２とを、一体に有し、主蓋体４に長手方向一端部７ａが突き当たるように取着されている。弾性帯体７は、第１栓部１と第２栓部２を繋ぐ連結帯状部１３よりも厚さ寸法が増大するよう形成された厚肉片部１４を、（長手方向）一端部７ａ寄りに有している。厚肉片部１４の厚さ寸法ｔは、３ｍｍ〜６ｍｍに設定され、第１栓部１と第２栓部２を除く厚肉片部１４以外の部分（連結帯状部１３）の厚さ寸法ｔ０を１．０ｍｍ〜２．５ｍｍに設定するのが好ましく、厚肉片部１４は比較的分厚く形成されている。
図１に示すように、副蓋体５が閉じた施蓋状態Ｐ０で、弾性帯体７（厚肉片部１４）は、横倒Ｕ字状に弯曲している。このとき、弯曲内面は上下当接せず、前方（図１の左方向）に開口状を保っている。図１（Ｂ）に示すように、弾性帯体７（厚肉片部１４）には、図中矢印Ｙ１にて示す弯曲内層側の弾性圧縮応力、及び、矢印Ｙ２にて示す弯曲外層側の弾性引張応力が生じている。弾性帯体７は、Ｕ字状に弯曲させることで、弾性圧縮応力及び弾性引張応力による曲げ復元モーメントＭを発生し、副蓋体５を上方へ開く方向に弾発付勢するように構成されている。
【００１３】
開蓋状態Ｐ１では、図２に示すように、副蓋体５は、水平面に対し略鉛直姿勢まで上方起立状として開蓋するように構成される。施蓋状態Ｐ０から開蓋状態Ｐ１までの副蓋体５の（軸心Ｃ廻りの）揺動角度を、開閉角度θとすると、この開閉角度θを、８０°〜１１０°に設定するのが好ましい。弾性帯体７は、開蓋状態Ｐ１に於て、厚肉片部１４が伸びきった姿勢には復元せずに、Ｊ字状弯曲姿勢で弾性圧縮応力及び弾性引張応力が残留しており、小さいながらも曲げ復元モーメントＭを発生し続けている。言い換えると、弾性帯体７は、開蓋状態Ｐ１に於て、復元力に余力を残している。
【００１４】
図３と図４に示すように、主蓋体４は、例えば、ＰＰやＡＢＳ等の合成樹脂から成り、容器本体２０の開口外周縁部に螺着される平面視円形状の蓋本体部４Ａと、蓋本体部４Ａの後縁側に垂下状に設けられた把手１７を有し、上端に形成された低突隆部１１には、揺動自在のハンドル１８が枢着されている。ハンドル１８は、低突隆部１１の枢支壁１２，１２に軸部１９，１９を挿通し、枢支壁１２，１２の内側対向面に軸部１９，１９の先端が突出している。さらに、主蓋体４の上端には、注ぎ口３と通気孔６が内設された短筒部８が上方突出状に形成されている。主蓋体４の前縁側外周面には、爪部１６が突設されている。
副蓋体５は、例えば、ＥａｓｔｍａｎＴｒｉｔａｎコポリエステル（登録商標）によって構成され、高い透明度と光沢を兼ね備えた美しい外観を備えると共に、デザイン性、容易な加工特性を有し、さらに、耐熱性・耐冷性に優れ、かつ、頑丈で高強度に形成されている。副蓋体５は、蓋本体部４Ａの約半分の大きさに形成されている。
副蓋体５は、主蓋体４の爪部１６に係合可能な係止舌片１５が前端縁に設けられ、弾性帯体７の第１栓部１を嵌着するための取付孔部２１が貫設され、さらに、第２栓部２を取着するための取付ピン２２が立設されている。副蓋体５は、突出状の軸部１９，１９の先端に嵌着可能な嵌着軸受部２３，２３を有している。嵌着軸受部２３，２３間には、弾性帯体７の弯曲ガイド部２５が形成されている。
【００１５】
弾性帯体７は、取付孔部２１に嵌着可能なキノコ型の嵌入凸部２６を第１栓部１に対応して配設し、第２栓部２内には、取付ピン２２が差込まれる差込凹部２７が形成されている。弾性帯体７の一端部７ａには、半円状の凹部９を有している。
図４に示すように、弾性帯体７は、取付ピン２２を差込凹部２７に差込むと共に、嵌入凸部２６を取付孔部２１に嵌め込んで、副蓋体５に取着される。このとき、弾性帯体７は、弯曲ガイド部２５に当接して、一端部７ａを前方に向けて弯曲する。次に、副蓋体５を、主蓋体４の上方から押し付けて、嵌着軸受部２３，２３を軸部１９，１９に外嵌する。副蓋体５の嵌着軸受部２３，２３が（弾性変形しつつ）軸部１９，１９に対しパチンと音を立てながら嵌着される。
図３に示すように、主蓋体４に上方から副蓋体５を取り付けることで、前方弯曲状の弾性帯体７の一端部７ａが短筒部８の後端外周面に突き当って、凹部９が短筒部８の後縁側の弯曲面２４に噛み合って係止する（図５参照）。
【００１６】
図２から図１に示すように、副蓋体５を、開蓋状態Ｐ１から施蓋状態Ｐ０へ閉じていくと、弾性帯体７がＪ字状の弯曲姿勢から横倒Ｕ字状の弯曲姿勢に弾性変形する。弾性帯体７は、副蓋体５の軸心Ｃの近傍の狭い範囲（厚肉片部１４）で局部的に弾性変形し、弯曲内層側の弾性圧縮応力及び弯曲外層側の弾性引張応力による曲げ復元モーメントＭを発生して、副蓋体５に上方へ開く力を付勢している。即ち、副蓋体５は、軸心Ｃに近い位置で、弾性帯体７による上方への曲げ復元モーメントＭを受ける。このため、弾性帯体７の上記復元モーメントＭは、上記軸心Ｃ廻りの上方への回転モーメントとして有効に働く。また、弾性帯体７の肉厚や大きさを無用に大きく設定せずに済む利点がある。また、副蓋体５は、主蓋体４（蓋本体部４Ａ）の約半分の面積（大きさ）であるため、副蓋体５を軸心Ｃ廻りに上方に回転させる慣性モーメントが小さく、副蓋体５を開く際に弾性帯体７が副蓋体５に与えるべき弾性エネルギー（曲げ復元モーメントＭ）は少なくて済む。弾性帯体７が副蓋体５に曲げ復元モーメントＭを付勢する際に、弾性帯体７の一端部７ａが主蓋体４に突き当たって固定され、弾性帯体７の一端部７ａが前方に逃げることなく、副蓋体５に曲げ復元モーメントＭを確実に付与することが可能となる。
【００１７】
図１に示すように、主蓋体４は、大きく開口する注ぎ口３の後方に、小さく開口する通気孔６が接近して配置されており、通気孔６は、吸入小筒部１０の内周面によって形成されている。吸入小筒部１０は、短筒部８の後端部に一体に形成され、下方突出状として下端部が大きく垂下状となるように設けられている。
図６に示すように、収納容器を斜めに傾けて液体Ｗを注ぎ口３から流出させる際、吸入小筒部１０の下端部が液体Ｗに浸入し、通気孔６から空気をスムーズに吸入できる。注ぎ口３と通気孔６が接近して配置されることで、弾性帯体７の第１栓部１と第２栓部２で両方を同時に施蓋（密封）することができ、かつ、液体Ｗを注ぎ口３から流出させる際に、通気孔６から液体Ｗが出てしまうことがない。
【００１８】
なお、本発明は、設計変更可能であって、例えば、弾性帯体７の副蓋体５への取着方法は上述の実施形態に限定されない。
【００１９】
以上のように、本発明に係る収納容器の蓋は、主蓋体４と、該主蓋体４に揺動開閉自在に枢着された副蓋体５と、該副蓋体５を開く方向に弾発付勢する弾性帯体７とを、備えた収納容器の蓋に於て、上記副蓋体５が閉じた施蓋状態Ｐ０で、上記弾性帯体７は横倒Ｕ字状に弯曲して、弯曲内層側の弾性圧縮応力及び弯曲外層側の弾性引張応力による曲げ復元モーメントＭを発生し、上記副蓋体５を上方へ開く方向に弾発付勢するように構成されたので、横倒Ｕ字状に弯曲した弾性帯体７が十分に大きな曲げ復元モーメントＭを発生し、この曲げ復元モーメントＭによって、副蓋体５をスムーズに上方へ開くことができる。
【００２０】
また、注ぎ口３と通気孔６を有する主蓋体４と、該主蓋体４に揺動開閉自在に枢着された副蓋体５と、上記主蓋体４に長手方向一端部７ａが突き当たるように配設され上記副蓋体５を開く方向に弾発付勢する弾性帯体７とを、備え、上記弾性帯体７は、上記注ぎ口３を施蓋する第１栓部１と、上記通気孔６を施蓋する第２栓部２とを、一体に有し、さらに、上記副蓋体５が閉じた施蓋状態Ｐ０で、上記弾性帯体７は横倒Ｕ字状に弯曲して、弯曲内層側の弾性圧縮応力及び弯曲外層側の弾性引張応力による曲げ復元モーメントＭを発生し、上記副蓋体５を上方へ開く方向に弾発付勢するように構成されたので、横倒Ｕ字状に弯曲した弾性帯体７が十分に大きな曲げ復元モーメントＭを発生し、この曲げ復元モーメントＭによって、副蓋体５をスムーズに上方へ開くことができる。また、構造が簡素で、工場での組立てが容易であると共に、家庭で、洗浄のために弾性帯体７の取付け・取外しを行う際も容易かつ迅速に行うことができる。弾性帯体７が第１栓部１と第２栓部２を一体に有している為、部品点数を減らしてコストを低減でき、安価に製造できる。
【００２１】
また、上記副蓋体５は、８０°〜１１０°の開閉角度θで上方起立状として開蓋するように構成されているので、弾性帯体７は、開蓋状態Ｐ１で、Ｊ字状弯曲姿勢となって弾性圧縮応力及び弾性引張応力が残留して、小さ目の曲げ復元モーメントＭを残して、副蓋体５がふらつかないで静止する。また、副蓋体５を１８０°まで開く場合に比較して、弾性帯体７が副蓋体５に与えるべき弾性エネルギーは少なくて済み、弾性帯体７の肉厚及び大きさを極端に大に設定せずに済む。
【符号の説明】
【００２２】
１  第１栓部
２  第２栓部
３  注ぎ口
４  主蓋体
５  副蓋体
６  通気孔
７  弾性帯体
７ａ  一端部
Ｐ０  施蓋状態
Ｍ  曲げ復元モーメント
【図１】
2017056944.tif 000003
【図２】
2017056944.tif 000004
【図３】
2017056944.tif 000005
【図４】
2017056944.tif 000006
【図５】
2017056944.tif 000007
【図６】
2017056944.tif 000008